(57)【要約】【課題】液体吐出ヘッドのクリーニング方法および、そのクリーニングに使用するクリーニング冶具さらにはクリーニング装置を提供する。【解決手段】液体吐出ヘッドのクリーニング冶具が、クリーニングすべき液体吐出ヘッドを収容する収容部４１と、液体吐出ヘッドの液体吐出口形成面と対向する位置に設けられた。吐出口４４および吸引口４５を有している。吐出口４４は、液体吐出口形成面に向けて気体を噴射するためのものである。吸引口４５は、液体吐出口形成面を通過してきた気体を吸引するためのものである。そして、液体吐出口形成面に対向する位置で、かつ吐出口４４と吸引口４５との間に、吐出口４４から噴射された気体を吸引口まで液体吐出口形成面に沿って、液体吐出口形成面に平行に流させる空間が構成されている。【選択図】図１
2010089377.tif 000002
【特許請求の範囲】
【請求項１】
クリーニングすべき液体吐出ヘッドを収容する収容部と、
前記液体吐出ヘッドの液体吐出口形成面と対向する位置に設けられ、前記液体吐出口形成面に向けて気体を噴射する吐出口と、
前記液体吐出口形成面と対向する位置に設けられ、前記液体吐出口形成面を通過してきた気体を吸引する吸引口と、
前記液体吐出口形成面に対向する位置で、かつ前記吐出口と前記吸引口の間に位置しており、前記吐出口から噴射された気体を前記吸引口まで前記液体吐出口形成面に沿って、前記液体吐出口形成面に平行に流させる空間とを有する、液体吐出ヘッドのクリーニング冶具。
【請求項２】
前記液体吐出口形成面と対向する位置に設けられ、前記吐出口から前記液体吐出口形成面に向けて噴射された気体を前記液体吐出口形成面に平行な方向に導くための隙間を、前記液体吐出口形成面との間に構成する吐出側壁と、
前記吐出口形成面を通過した気体を前記吸引口へ向けて引き込むための隙間を、前記吐出口形成面との間に構成する吸引側壁とを有する、請求項１に記載のクリーニング冶具。
【請求項３】
前記吐出口に連通し、外部から気体を取り入れるための噴射口と、前記吸引口に連通し、外部に気体を排気するための噴出口とを有する、請求項１または２に記載のクリーニング冶具。
【請求項４】
前記液体吐出口形成面を洗浄する洗浄液を外部から噴射するための洗浄口を有する、請求項１から３のいずれか１項に記載のクリーニング冶具。
【請求項５】
請求項４に記載のクリーニング冶具と、
前記クリーニング冶具の前記吐出口に気体を供給する装置と、
前記クリーニング冶具の前記吸引口から気体を吸引する装置と、
前記洗浄口を介して洗浄液を噴射する洗浄装置とを有する、クリーニング装置。
【請求項６】
液体吐出ヘッドの液体吐出口形成面をクリーニングするクリーニング方法であって、
前記液体吐出口形成面へ向けての気体の噴射と、前記液体吐出口形成面からの気体の吸引とを同時に行って、前記気体の噴射を行う部分と該気体の吸引を行う部分との間で、前記液体吐出口形成面に平行な気体の流れを生成するクリーニング方法。
【請求項７】
前記気体の噴射および吸引を行う前に、洗浄液を用いて前記液体吐出口形成面の洗浄を行う、請求項６に記載のクリーニング方法。
【請求項８】
前記液体吐出口形成面へ向けて噴射する気体の流量が３５Ｌ／ｍｉｎ以上かつ５５Ｌ／ｍｉｎ以下であることを特徴とする、請求項６または７に記載のクリーニング方法。
【請求項９】
前記液体吐出口形成面へ向けて噴射する前記気体が、温風であることを特徴とする、請求項６から８のいずれか１項に記載のクリーニング方法。
【発明の詳細な説明】
【技術分野】
【０００１】
本発明は液体を吐出する液体吐出ヘッドのクリーニング方法およびクリーニング冶具に関し、具体的にはインクジェット記録ヘッドの吐出口形成面のクリーニング方法、クリーニング冶具およびクリーニング装置に関する。
【背景技術】
【０００２】
現在、幅広く利用されているインクジェットプリンタのように、インクを記録媒体に吐出して記録を行う方式を、インクジェット記録方式（液体噴射記録方式）という。この方式では、通常、液体を吐出する液体吐出ヘッドが用いられている。
【０００３】
インクジェット記録方式に用いられる液体吐出ヘッド、具体的にはインクジェット記録ヘッドは、一般に微細な吐出口と、液流路と、液流路の一部に設けられる液体を吐出するために利用されるエネルギーを発生するエネルギー発生素子とをそれぞれ複数備えている。
【０００４】
従来、図６に示すようなインクジェット記録ヘッドを搭載したインクジェットカートリッジ１１に対しては、製造後に印字検査が行われる。そして、印字検査の際にインクジェット記録ヘッドの液体吐出口形成面（以下、「フェイス面」という）に付着したインク液滴や異物を除去するクリーニングが行われる。また、実使用時までにインクジェット記録ヘッドの液体吐出口からインク漏れが生じることを防止するために、感圧式接着剤を塗布した保護テープ１２をフェイス面に貼り付けて、液体吐出口をシールしている。
【０００５】
印字検査後におけるフェイス面に付着したインク液滴や異物を除去するために、フェイス面のクリーニングを行っている。従来の方法として、フェイス面のインク液滴や異物を洗浄液により洗い流し、その後、気体をフェイス面に向けて噴射することによって、フェイス面に付着した洗浄液を排出し、かつ、フェイス面を乾燥させる方法がある（特許文献１）。
【０００６】
あるいは、フェイス面に対向する位置に、吸引ノズルを有する冶具を配置し、この吸引ノズルを用いて、フェイス面に付着したインク液滴や異物を吸引して、除去する方法がある（特許文献２）。
【特許文献１】特開２００６−２３９９９２号公報
【特許文献２】特開２００６−２１３０２６号公報
【発明の開示】
【発明が解決しようとする課題】
【０００７】
しかしながら、特許文献１で実施されているクリーニング方法では、フェイス面に対して垂直方向への気体の流れを発生させているため、液体吐出口内のインクへの気泡混入や液体吐出口からのインク液滴の飛散を起こしてしまう可能性がある。そのため、特許文献１で実施していたクリーニング方法では、インク内への気泡の混入やインク液滴の飛散を生じさせない程度に噴射する気体の流量を少なくする必要があり、その結果、洗浄液の排出やフェイス面の乾燥に長時間（６秒程度）を要していた。
【０００８】
また、特許文献２で実施されているクリーニング方法では、明細書中に明記されているように、吸引時に冶具内の流路抵抗により気流が乱れ、液体吐出口近傍で圧力変動が発生し、異物やインクの吸引がスムーズに行われない場合がある。更には、液体吐出口内のインクが吸引されて、液体吐出口外に引き出され、最終的に液体吐出口内に残ったインクと、液体吐出口外に引き出されたインクとが分離される。こうしてインクが分離される際に、液体吐出口内のインクに気泡が発生してしまうことがある。また、液体吐出口外に引き出されて分離したインクが小さいほど、そのインクが、撥水処理を施されたフェイス面に、付着したまま残ってしまい、排出されないことがある。
【０００９】
また近年、生産性の向上のため、製造時間（加工時間）の短縮が求められており、フェイス面のクリーニング品質を向上させつつ、クリーニング時間を短縮させることが要求されている。
【００１０】
本発明の目的は、上記課題である短時間ではフェイス面をきれいにクリーニングすることができないという問題を解決する、クリーニング方法、クリーニング冶具およびクリーニング装置を提供することを目的とする。
【課題を解決するための手段】
【００１１】
クリーニングすべき液体吐出ヘッドを収容する収容部と、液体吐出ヘッドの液体吐出口形成面と対向する位置に設けられ、液体吐出口形成面に向けて気体を噴射する吐出口と、液体吐出口形成面と対向する位置に設けられ、液体吐出口形成面を通過してきた気体を吸引する吸引口と、液体吐出口形成面に対向する位置で、かつ吐出口と前記吸引口の間に位置しており、吐出口から噴射された気体を吸引口まで液体吐出口形成面に沿って、液体吐出口形成面に平行に流させる空間とを有する、液体吐出ヘッドのクリーニング冶具を提供する。
【発明の効果】
【００１２】
本発明によると、気体の噴射と吸引とによる、フェイス面に平行な一方向の気流（以下、「エアーブロー」という）により、液体吐出口内のインクへの気泡の混入や液体吐出口からのインクの飛散を低減できる。そのため、エアーブロー流量を大きくすることができ、フェイス面に付着している液体のクリーニング品質向上と、乾燥時間短縮による生産性向上とを実現することができる。
【発明を実施するための最良の形態】
【００１３】
以下、図面を参照して本発明の実施の形態を説明する。なお、以下の説明では、同一の機能を有する構成には図面中同一の番号を付与し、その説明を省略する場合がある。
【００１４】
本発明に係るクリーニング方法および、そのクリーニングに使用するクリーニング冶具とクリーニング装置は、液体吐出ヘッド（インクジェット記録ヘッド）の液体吐出口形成面（フェイス面）のクリーニングに用いられるものである。図１は、本発明のクリーニング冶具を示す概略構成図であり、図２は、そのクリーニング冶具を含むクリーニング装置にインクジェットカートリッジ１１がセットされた状態を示す概略構成図である。
【００１５】
本発明のクリーニング装置のクリーニング冶具４２は、インクジェットカートリッジ１１用の収容部４１を有する中空の容器状になっている。インクジェットカートリッジ差込口４８と、後述するインクジェット記録ヘッド２１のフェイス面４３に対向する位置に、洗浄液を噴射するための洗浄口４６がある。また、エアー（気体）をクリーニング冶具４２内に送り込むエアー噴射口４９と、クリーニング冶具４２内を通過してきたエアーを外に排気するエアー噴出口５０とが形成されている。フェイス面４３の一端の近傍に、吐出側壁５２が設けられることで、エアー吐出口４４から、フェイス面４３に対し垂直上向き方向にエアーを噴射することができる。それと同時に、吐出側壁５２と吐出側ＩＬＢ５４との隙間（以下、「吐出側隙間」という）５７から、フェイス面４３に対し平行なエアーブロー５３が流れるようにしている。また、フェイス面４３の他端の近傍にあたる位置に、吸引側壁５５が設けられることで、吸引側壁５５と後述するフレキシブル配線基板３２の吸引側ＩＬＢ５６との隙間（以下、「吸引側隙間」という）５８からエアーブロー５３が流れ込むことができる。さらに、吸引側壁５５により、フェイス面４３などから飛散してきた液体やエアーを吸引する吸引口４５がフェイス面に対し垂直下向き方向に設けられている。そしてエアー噴射口４９とエアー吐出口４４を結ぶ流路５１ａと、エアー噴出口５０と吸引口４５を結ぶ流路５１ｂとが洗浄口４６を介して接続されて、エアー噴射口４９からエアー噴出口５０に至る流路が構成されている。また、吐出側隙間５７と吸引側隙間５８との間の空間は、フェイス面４３に平行なエアーブロー５３が流れる。
【００１６】
クリーニング治具４２は、後述するインクジェットカートリッジ１１のフェイス面４３の近傍に位置するフレキシブル配線基板３２と当接する箇所にパッキン４７を有している。
【００１７】
なお、このクリーニング冶具４２のエアー噴射口４９には、エアー供給装置６１が接続され、エアー噴出口５０には吸引装置６２が接続されている。また、洗浄口４６には洗浄液供給装置６３が接続されている。こうして本発明のクリーニング装置が構成されている。なお、エアー供給装置６１と、吸引装置６２を共通化して、単一の装置とすることもできる。
【００１８】
次に、このクリーニング装置によってクリーニングされるインクジェット記録ヘッドの一例について図３を用いて説明する。
【００１９】
インクジェット記録ヘッド２１は、Ｓｉ基板２３と板状のインク流路形成部材２５から形成されている。
【００２０】
Ｓｉ基板２３には、液体を吐出するために利用されるエネルギーを発生させるエネルギー発生素子２２が所定のピッチで、かつ２列に並んで形成されている。また、エネルギー発生素子２２の列と列との間に、Ｓｉを異方性エッチングすることによって形成された液体供給口２４が開口している。
【００２１】
Ｓｉ基板２３上には、流路形成部材２５により、各エネルギー発生素子２２の上方に開口する液体吐出口２６と、液体供給口２４から各液体吐出口２６に連通する個別の流路２７が形成されている。
【００２２】
このインクジェット記録ヘッド２１は、図示していないインクジェットプリンタの筐体に取り付けられて、液体吐出口２６が形成された面（フェイス面４３）が記録媒体の記録面に対面するように配置される。この記録ヘッド２１には、液体供給口２４を介して流路２７内に充填されたインクに、エネルギー発生素子２２によって発生するエネルギー（例えば熱エネルギー）が加えられる。すると、インク液滴が（例えば加熱による発泡圧力によって）、液体吐出口２６から吐出し、記録媒体に付着するため、記録を行うことができる。
【００２３】
エネルギー発生素子２２としては、熱エネルギーを発生する電気熱変換素子（所謂ヒーター）や、力学的エネルギーを発生する圧電素子等が用いられるが、これらに限定されるものではない。
【００２４】
また図４は、図３に示すインクジェット記録ヘッド２１を搭載したインクジェットカートリッジ１１の一例を示す模式的斜視図である。インクジェットカートリッジ１１は、前述したインクジェット記録ヘッド２１へ供給するためのインクを収容するインク収容部３１と、インクジェット記録ヘッドの取付部１３からなる。取付部１３には、インクジェット記録ヘッド２１が取り付けられるとともに、インクジェット記録ヘッド２１とプリンタ本体を電気的に接続するためのフレキシブル配線基板３２が取り付けられる。インク収容部３１と、取付部１３が一体となってもよいが、必ずしも一体になっている必要はなく、インク収容部３１の取り外しが可能な形態を取ることもできる。
【００２５】
インクジェットカートリッジ１１にインクジェット記録ヘッド２１を取り付けると、インク収容部３１の開口部（図示せず）がインク供給口２４に接続される。また、インクジェット記録ヘッド２１のフェイス面４３が、フレキシブル配線基板３２の開口部３３を介して外部に露出する。
【００２６】
以上本発明のクリーニング方法およびクリーニング装置の対象となるインクジェット記録ヘッド２１およびインクジェットカートリッジ１１の一例を示した。しかしこれらの例に限定されることなく、あらゆるインクジェット記録ヘッドおよびインクジェットカートリッジに対して本発明を採用することができる。
【００２７】
なお、インクジェット記録ヘッド２１およびインクジェットカートリッジ１１は、プリンタ、複写機、通信システムを有するファクシミリ、プリンタ部を有するワードプロセッサなどの装置、さらには各種処理装置と複合的に組み合わせた記録装置に搭載可能である。そして、この液体吐出ヘッド２１を用いることによって、紙、糸、繊維、布帛、皮革、金属、プラスチック、ガラス、木材、セラミックなど種々の記録媒体に記録を行うことができる。本明細書内で用いられる「記録」とは、文字や図形などの意味を持つ画像を記録媒体に対して付与することだけでなく、パターンなどの意味を持たない画像を付与することも意味することとする。
【００２８】
さらに、「液体」とは、広く解釈されるべきものであり、記録媒体上に付与されることによって、画像、模様、パターン等を形成するためのインクや、記録媒体の加工、あるいはインクまたは記録媒体の処理に供される液体を含むものである。ここで、インクまたは記録媒体の処理としては、例えば、記録媒体に付与されるインク中の色材の凝固または不溶化による定着性の向上や、記録品位ないし発色性の向上、画像耐久性の向上などのことを指す。
【００２９】
続いて、本発明のクリーニング装置を用いたクリーニング方法について説明する。
【００３０】
まず、クリーニング冶具４２のカートリッジ差込口４８から、インクジェットカートリッジ収容部４１にインクジェットカートリッジ１１を挿入する（図７（ａ）参照）。すると、フェイス面４３と洗浄口４６が対向し、クリーニング冶具のパッキン４７とインクジェットカートリッジ１１のフレキシブル配線基板３２とが当接した状態となる。
【００３１】
次に図７（ｂ）に示すように、洗浄液供給装置６３から洗浄口４６を介してフェイス面４３に対し洗浄液７１を噴射し、フェイス面４３に付着しているインク液滴や異物を洗い流す。この際、クリーニング冶具４２とフレキシブル配線基板３２との当接部にあるパッキン４７により、洗浄必要箇所以外への洗浄液７１の飛散を防いでいる。
【００３２】
洗浄必要箇所とは、フェイス面４３と、フェイス面周囲を取り囲む横封止部かつＩＬＢ（Inner Lead Bonding）封止部５４、５６と、フレキシブル配線基板３２の中でインクジェット記録ヘッド２１が貼付けられた面とのことである。この洗浄必要箇所を洗浄した洗浄液７１は、再び洗浄口４６から外部に排出される。しかし、洗浄液７１の一部はフェイス面４３に付着して残留してしまう。
【００３３】
最後に、図７（ｃ）に示すように、エアーの噴射および吸引により生成されたエアーブロー５３によって、フェイス面４３に残っている洗浄液７１の除去および、フェイス面４３の乾燥を行う。フェイス面４３に残っている洗浄液７１の効率的な除去および、フェイス面４３の効率的な乾燥のために、以下の工夫がなされている。
【００３４】
図５（ａ）は、図２におけるエアー吐出口４４の周辺を拡大した図である。吐出側壁５２が設けられているため、エアーがエアー吐出口４４から垂直上向きに噴射され、パッキン４７とフレキシブル配線基板３２の隅に当たるような流れになっている。また、吐出側壁５２は吐出側ＩＬＢ５４と対向し、かつＩＬＢ５４に平行な面を作ることで、吐出側隙間５７から、エアーブロー５３をフェイス面４３に沿うような流れにしている。
【００３５】
図５（ｂ）は、図２における吸引口４５周辺を拡大した図である。吸引側壁５５とフレキシブル配線基板３２の吸引側ＩＬＢ５６の間に吸引側隙間５８が設けられている。この隙間５８は、吐出側壁５２とＩＬＢ５４の隙間５７よりも上部に設けられているので、フェイス面４３に沿って流れてきたエアーブロー５３がやや上向きになり、パッキン４７とフレキシブル配線基板３２の隅にしっかりと当たるような流れになっている。吸引側は、エアーブロー５３の流れにより、フェイス面４３に付着した洗浄液７１およびエアーが導かれる箇所である。そのため、吸引側壁５５を吸引側ＩＬＢ５６よりもエアー噴出口４９側にずらした位置に設けることで、洗浄液７１が残りやすいと考えられるフレキシブル配線基板３２の吸引側ＩＬＢ側で、エアーブロー５３の流速を上げて、洗浄液７１の吸引を促進させている。また、吸引口４６を吸引側壁５５によりフェイス面４３に対し垂直にしているので、重力の作用も加わり、洗浄液７１を吸引しやすくしている。
【００３６】
洗浄口４５が外部に開放されているが、吐出側壁５２および吸引側側壁５５によってエアーブロー５３の流れを規制し、かつ流速を高めているため、フェイス面４３に平行に通過し、このフェイス面４３に沿うようなエアーブロー５３の流れが維持できる。
【００３７】
以上説明したように、本発明のクリーニング方法によってフェイス面４３をクリーニングしたら、このフェイス面４３を含む洗浄必要箇所に保護テープ１２を貼り付けて、液体吐出口２６をシールしている（図６参照）。この保護テープ１２は、インクジェット記録ヘッド２１がインクジェットプリンタ（図示せず）に取り付けられる際に剥がされる。
【実施例】
【００３８】
以下に本発明の実施例を示し、さらに詳細に説明する。
【００３９】
（実施例１）
実施例１の検討１として、エアーブロー５３の流量の違いによる本発明のクリーニング方法への影響を確認した。
【００４０】
検討１では、吐出側壁５２と吐出側ＩＬＢ５４との間に形成されている吐出側隙間５７の開口部分の面積（以下、「吐出側隙間５７の開口面積」という）を９ｍｍ2とした。また、吸引側壁５４とフレキシブル配線基板３２との間に形成されている吸引側隙間５８の開口部分の面積（以下、「吸引側隙間５８の開口面積」という）を４．５ｍｍ2とした。
【００４１】
実施例１の工程フローを、図７を参照して説明する。
【００４２】
図２に示すように、クリーニング治具４２にインクジェットカートリッジ１１をセットした。図７（ａ）は、このときのクリーニング部の拡大図である。
【００４３】
次いで、図７（ｂ）に示すように、洗浄液７１によりフェイス面４３のインク液滴を洗い流した。
【００４４】
次いで、図７（ｃ）のように、エアー吐出口４４からのエアーの噴射と吸引口４５からの吸引により生成されたエアーブロー５３の流れによって、フェイス面４３に付着して残留している洗浄液７１を除去した。また、エアーの噴射と吸引は同時に行うものとした。
【００４５】
検討１の結果を表１に示す。エアーの噴射の流量条件を変えて実施した結果、エアーの噴射の流量が３５Ｌ／ｍｉｎ以上かつ、５５Ｌ／ｍｉｎ以下であれば、液体吐出口２６内のインクへの気泡混入や液体吐出口２６からのインクの飛散が見られず、洗浄必要箇所に洗浄液残りも見られなかった。
【００４６】
それに対し、エアーの噴射の流量が小さい領域では、洗浄必要箇所に洗浄液残りが見られる場合があった。また、エアーの噴射の流量が大きい領域では、液体吐出口２６内のインクへの気泡混入や液体吐出口２６からのインクの飛散が見られる場合があった。
前述したとおり、従来のクリーニング方法（例えば特許文献１の方法）では、洗浄必要箇所の洗浄および乾燥に６秒程度の時間を要していた。しかし、本発明のクリーニング方法およびクリーニング装置を用いることで、洗浄必要箇所の洗浄および乾燥時間を大幅に短縮させることができた。
【００４７】
この原因は、エアーを、フェイス面４３に垂直に噴射した後に、吐出側隙間５７を通って、フェイス面４３に平行に流れるようにすることで、エアーの噴射の流量を大きくしても、従来技術のように問題が生じない。そして、吸引側壁を適切な位置に設けたことで、洗浄液残りが溜まるという現象が生じなかったためであると考えられる。
【００４８】
【表１】
2010089377.tif 000003
【００４９】
次に検討２として、吸引側隙間５８の開口面積の違いによる本発明のクリーニング方法の影響を確認した。
【００５０】
本発明のクリーニング方法およびクリーニング装置では、エアーブロー５３の流れにより吸引側に集められた洗浄液７１および気体を吸引するため、この吸引の流量と流速が洗浄液７１の乾燥を左右する。
【００５１】
吸引側隙間５８の開口面積を大きくすることにより、吸引量を増加させることが可能だが、その場合、吸引による流速は低下する。また、吸引側隙間５８の開口面積を小さくすると、流速を増加させることができるが、吸引量は低下する。
【００５２】
検討１では吸引側隙間５８の開口面積が４．５ｍｍ2であったのに対し、この検討２では吸引側隙間５８の開口面積を４ｍｍ2から２２．５ｍｍ2まで変化させて確認を行った。その他の条件は検討１と同じで、吐出側隙間５７の開口面積は９ｍｍ2、エアーブロー流量３５〜６０Ｌ／ｍｉｎ、エアーブロー時間０．５〜３．０ｓｅｃである。
【００５３】
検討２の結果を表２に示す。吸引側隙間５８の開口面積が４．５ｍｍ2以上かつ２２ｍｍ2以下で、エアーブロー流量が３５Ｌ／ｍｉｎ以上かつ５５Ｌ／ｍｉｎの場合、液体吐出口２６内のインクへの気泡混入や液体吐出口２６からのインクの飛散、または洗浄必要箇所の洗浄液残りがなかった。さらに、乾燥時間も従来の６秒から０．５秒まで短縮させることができた。
【００５４】
【表２】
2010089377.tif 000004
【００５５】
実施例１の結果より、エアー吐出口４４からのエアーの噴射の流量は３５Ｌ／ｍｉｎ以上かつ５５Ｌ／ｍｉｎ以下であり、吸引側隙間５８の開口面積は４．５ｍｍ2以上かつ２２ｍｍ2以下であればよい。そうすれば、洗浄必要箇所の洗浄液残りがなく、液体吐出口２６内のインクへの気泡混入や液体吐出口２６からのインクの飛散が生じず、かつ乾燥時間を大幅に短縮させる効果が得られることがわかる。
【００５６】
（実施例２）
次に、本発明の実施例２を説明する。
【００５７】
実施例１で述べたエアー吐出口４４から２５℃程度の常温のエアーを噴射したのに対し、この実施例２ではエアー吐出口４４の上流部に熱源を設け、噴射するエアーの温度を上昇させてクリーニングの確認を行った。
【００５８】
実施例２の結果、噴射するエアーの温度を上昇させることにより実施例１よりも乾燥時間を大幅に短縮させることができた。これは、エアーが温風であるため、フェイス面４３と平行な一方向のエアーブロー５３の流れに加え、温風による洗浄液の蒸発という効果により、実施例１に対し同等以上の効果が得られるためである。また、実施例１と同様に、液体吐出口２６内のインクへの気泡混入やインク吐出口２６からのインク飛散が見られず、洗浄必要箇所に洗浄液残りも見られなかった。ただし、インクジェット記録ヘッドのインクや周辺装置等への熱による影響を考慮すると、温風は６０℃以下であることが好ましい。
【００５９】
（比較例）
比較例として、図８のようにフェイス面４３を洗浄後に洗浄口４６を洗浄口カバー８１で塞ぎ、エアーの流れる空間を閉鎖系とした液体吐出ヘッドのクリーニング冶具を用意した。このクリーニング冶具を用いて、実施例１と同様にエアーブロー５３の流量の違いによる本発明のクリーニング方法への影響を確認した。
【００６０】
冶具は実施例１と同様に吐出側隙間５７の開口面積を９ｍｍ2とし、吸引側隙間５８の開口面積を４．５ｍｍ2とした。
【００６１】
その結果、エアーブロー５３の流量が大きい場合には、液体吐出口２６内のインクへの気泡混入が生じた。これはエアーが過度に流れたことにより、閉鎖された空間の圧力が増加し、液体吐出口２６のインクのメニスカスが破壊され、液体吐出口２６内にエアーが押し込まれたためであると考えられる。また、エアーブロー５３の流量が小さい場合には、液体吐出口２６からのインクの飛散が生じた。これは閉鎖された空間の圧力が減圧され、液体吐出口２６からインクが引き出されたためであると考えられる。
【００６２】
それに対し、本発明の液体吐出口２６のクリーニング冶具は、気体の流れる空間が、液体吐出口形成面を洗浄する洗浄液を外部から噴射するための洗浄口４６を有するため、気体の流れる空間が外部に開放されている。そのため、圧力変動に対応でき、幅広いエアーブロー５３の流量で液体吐出口２６内のインクへの気泡混入や液体吐出口２６からのインク飛散を生じることなく乾燥を実現できる。
【図面の簡単な説明】
【００６３】
【図１】本発明のクリーニング冶具の概略図であり、（ａ）は上面図、（ｂ）は断面図である。
【図２】本発明のクリーニング冶具に、インクジェットカートリッジがセットされた状態のクリーニング装置の概略構成図である。
【図３】本発明のクリーニング方法の対象となるインクジェット記録ヘッドの一例を示す斜視図である。
【図４】図３に示すインクジェット記録ヘッドが取り付けられたインクジェットカートリッジの一例を示す模式的斜視図である。
【図５】クリーニング治具にインクジェットカートリッジがセットされた状態を示す拡大図であり、（ａ）は図２のエアー吐出口近傍の拡大図、（ｂ）は図２の吸引口近傍の拡大図である。
【図６】保護テープが貼付けられたインクジェットカートリッジの一例を示す斜視図である。
【図７】本発明の第１の実施例のクリーニング工程を示し、（ａ）はインクジェットカートリッジの取り付け時、（ｂ）は洗浄液によるフェイス面の洗浄時、（ｃ）はフェイス面の洗浄液除去およびフェイス面乾燥時をそれぞれ示すフェイス面近傍の拡大図である。
【図８】本発明に対する比較例で使用したクリーニング冶具の概略図である。
【符号の説明】
【００６４】
２１  インクジェット記録ヘッド
４２  クリーニング治具
４４  エアー吐出口
４５  吸引口
４６  洗浄口
５２  吐出側壁
５３  エアーブロー
５５  吸引側壁
５７  吐出側隙間
５８  吸引側隙間
６１  エアー供給装置
６２  エアー吸引装置
６３  洗浄液供給装置
【図１】
2010089377.tif 000005
【図２】
2010089377.tif 000006
【図３】
2010089377.tif 000007
【図４】
2010089377.tif 000008
【図５】
2010089377.tif 000009
【図６】
2010089377.tif 000010
【図７】
2010089377.tif 000011
【図８】
2010089377.tif 000012